(57)【要約】【課題】ログメモリアクセス回路において、ログを採取するログ採取装置の切換えおよび回路への電源供給を可能とする。【解決手段】ログを記憶するログメモリと、ログメモリをアクセスする第１のアクセス装置とログメモリとを接続する第１の接続系統と、ログメモリをアクセスする第２のアクセス装置とログメモリとを接続する第２の接続系統とを切換える接続系統切換部と、切換指示を入力する切換入力部と、入力された切換指示により、第１の接続系統と第２の接続系統間の切換を接続系統切換部に指示する切換指示部と、第１のアクセス装置からの電源を各部に供給する第１の電源供給部と、第１の電源供給部の電源がオフのときには、第２のアクセス装置からの電源を各部に供給する第２の電源供給部と、を有することを特徴とするログメモリアクセス回路。【選択図】図２
2008176564.tif 000002
【特許請求の範囲】
【請求項１】
ログを記憶するログメモリと、
ログメモリをアクセスする第１のアクセス装置とログメモリとを接続する第１の接続系統と、ログメモリをアクセスする第２のアクセス装置とログメモリとを接続する第２の接続系統とを切換える接続系統切換部と、
切換指示を入力する切換入力部と、
入力された切換指示により、第１の接続系統と第２の接続系統間の切換を接続系統切換部に指示する切換指示部と、
第１のアクセス装置からの電源を各部に供給する第１の電源供給部と、
第１の電源供給部の電源がオフのときには、第２のアクセス装置からの電源を各部に供給する第２の電源供給部と、を有することを特徴とするログメモリアクセス回路。
【請求項２】
接続系統切換部は、ログメモリと接続されるダウンストリームポート、第１のアクセス装置および第２のアクセス装置と接続される２つのアップストリームポート、アップストリームポートとダウンストリームポート間の接続系統を切換えるポートセレクタとを有するＵＳＢスイッチングハブであることを特徴とする請求項１記載のログメモリアクセス回路。  
【請求項３】
ログを記憶するログメモリをアクセスする第１のログ採取装置および第２のログ採取装置に接続される情報処理装置であって、
第１のログ採取装置と接続され、かつログメモリをアクセスするコントローラと、
ログメモリをアクセスする第２のログ採取装置に接続される接続部と、
ログメモリとコントローラとを接続するための第１の接続系統と、ログメモリと接続部とを接続するための第２の接続系統とを切換える接続系統切換部と、
切換指示を入力する切換入力部と、
入力された切換指示により、第１の接続系統と第２の接続系統間の切換を接続系統切換部に指示する切換指示部と、
各部に電源を供給する第１の電源供給部と、
第１の電源供給部の電源がオフのときには、第２のログ採取装置からの電源を各部に供給する第２の電源供給部と、を有することを特徴とする情報処理装置。
【請求項４】
切換入力部は、コントローラの故障を監視し、故障を検出したときには、切換指示部に第１の接続系統から第２の接続系統への切換指示を入力する監視部であることを特徴とする請求項３記載の情報処理装置。
【請求項５】
ログを記憶するログメモリをアクセスする第１のログ採取装置および第２のログ採取装置に接続される情報処理装置であって、
第１のログ採取装置と接続され、かつログメモリをアクセスするコントローラと、
ログメモリをアクセスする第２のログ採取装置に接続される接続部と、
ログメモリとコントローラとを接続するための第１の接続系統と、ログメモリと接続制御部とを接続するための第２の接続系統とを切換える接続系統切換部と、
接続部に接続された第２のログ採取装置からの切換指示を切換指示部に入力し、かつ接続系統切換部の第２の接続系統に接続する接続制御部と、
切換指示により第１の接続系統と第２の接続系統間の切換を接続系統切換部に指示する切換指示部と、
各部に電源を供給する第１の電源供給部と、
第１の電源供給部の電源がオフのときには、第２のログ採取装置からの電源を各部に供給する第２の電源供給部と、を有することを特徴とする情報処理装置。
【請求項６】
情報処理装置に接続され、情報処理装置のコントローラによりログメモリからネットワークを介してログを採取するための第１のログ採取装置と、情報処理装置のＵＳＢコネクタと接続され、情報処理装置のログメモリからログを採取するための第２のログ採取装置と、を有する情報処理装置のログ採取システムであって、
情報処理装置が、
第１のログ採取装置と接続され、かつログメモリをアクセスするコントローラと、
ログメモリをアクセスする第２のログ採取装置に接続される接続部と、
ログメモリとコントローラとを接続するための第１の接続系統と、ログメモリと接続部とを接続するための第２の接続系統とを切換える接続系統切換部と、
切換指示を入力する切換入力部と、
入力された切換指示により、第１の接続系統と第２の接続系統間の切換を接続系統切換部に指示する切換指示部と、
各部に電源を供給する第１の電源供給部と、
第１の電源供給部の電源がオフのときには、第２のログ採取装置からの電源を各部に供給する第２の電源供給部と、を有し、  
切換指示部への切換指示により、ログメモリのログの採取装置が第１のログ採取装置から第２のログ採取装置に切換えることを特徴とする情報処理装置のログ採取システム。
【発明の詳細な説明】
【技術分野】
【０００１】
本発明は、ログを保守のために採取するログメモリアクセス回路、情報処理装置および情報処理装置のログ採取システムに関する。
【背景技術】
【０００２】
図１に従来のログ採取システムの構成図を示す。情報処理装置５１のログは一般的に装置内部のＭＰＵ５３によって制御が可能なメモリ５２に格納される。その場合、保守者がそのメモリ５２からログを採取する方法としては、図１（ａ）に示すように、情報処理装置５１とログを採取するログ採取装置６１をＬＡＮコネクタ５４によりネットワーク接続し、情報処理装置５１からログを採取するログ採取装置６１（保守用ＰＣなど）へダウンロードする方法がある。しかし、ログを採取したい場合が情報処理装置５１の故障時であり、故障の程度によってはシステムの起動不可、もしくは制御不可の場合であることもある。この場合、前述のネットワークによるダウンロードによるログ採取ができない。こういった場合のログの取得方法としては、図１（ｂ）に示すように、ログ採取システムのログ格納場所をコネクタなどにより取り外し可能な可搬媒体５５（ＵＳＢメモリ等）にしておき、その可搬媒体５５を情報処理装置５１から取り外し、保守用ＰＣ等を用いてそのメモリ５２にアクセスすることによって、ログを採取する方法がある (特許文献１)。
【特許文献１】特開２００６−９４１７４号公報（第４頁段落００１９）
【発明の開示】
【発明が解決しようとする課題】
【０００３】
可搬媒体は運搬時において紛失した場合、その内容を第三者に読み出される可能性があり、セキュリティ上において問題があるという欠点がある。また、可搬媒体を装置で使用できるようにするためには、装置構造の設計面やコスト面で大きな制約となる。そこで、可搬媒体を用いずに、装置から常時ログを採取でできるのが保守性および安全性の面で望ましいが、それには２つの問題がある。１つは、装置動作異常時などは自力でのメモリアクセスが出来ない場合があることであり、もう１つは装置故障時や停電といった状況下で装置自体に電源が入らない場合には、メモリが動作できないことである。
このため、本発明は、ログを採取するログ採取装置を切換るとともに、電源を供給するログメモリアクセス回路、情報処理装置および情報処理装置のログ採取システムを提供することを目的とする。
【課題を解決するための手段】
【０００４】
本発明のログメモリアクセス回路は、ログを記憶するログメモリと、ログメモリをアクセスする第１のアクセス装置とログメモリとを接続する第１の接続系統と、ログメモリをアクセスする第２のアクセス装置とログメモリとを接続する第２の接続系統とを切換える接続系統切換部と、切換指示を入力する切換入力部と、入力された切換指示により、第１の接続系統と第２の接続系統間の切換を接続系統切換部に指示する切換指示部と、第１のアクセス装置からの電源を各部に供給する第１の電源供給部と、第１の電源供給部の電源がオフのときには、第２のアクセス装置からの電源を各部に供給する第２の電源供給部と、を有する構成である。
【０００５】
この構成により、第２のアクセス装置の接続によりログメモリ、接続系統切換部、切換指示部、切換入力部に電源が供給されるので、第１の電源供給が、停止した場合でも電源供給が可能となる。また第１のアクセス装置によるログメモリのアクセスに故障が発生したときでも、切換指示部の指示により、第１アクセス装置から第２アクセス装置にログメモリの接続先を切換えることができるため、第２アクセス装置によりログメモリをアクセスすることができる。この結果、ログメモリのデータを取得できない状態を防止できる。
【０００６】
また、ログメモリアクセス回路の接続系統切換部は、ログメモリと接続されるダウンストリームポート、第１のアクセス装置および第２のアクセス装置と接続される２つのアップストリームポート、アップストリームポートとダウンストリームポート間の接続系統を切換えるポートセレクタとを有するＵＳＢスイッチングハブである構成である。
【０００７】
この構成により、接続系統部としてＵＳＢスイッチングハブのＬＳＩを利用できるので、回路を簡単に構成できる。  
【０００８】
また、情報処理装置は、ログを記憶するログメモリをアクセスする第１のログ採取装置および第２のログ採取装置に接続される情報処理装置であって、第１のログ採取装置と接続され、かつログメモリをアクセスするコントローラと、ログメモリをアクセスする第２のログ採取装置に接続される接続部と、ログメモリとコントローラとを接続するための第１の接続系統と、ログメモリと接続部とを接続するための第２の接続系統とを切換える接続系統切換部と、切換指示を入力する切換入力部と、入力された切換指示により、第１の接続系統と第２の接続系統間の切換を接続系統切換部に指示する切換指示部と、各部に電源を供給する第１の電源供給部と、第１の電源供給部の電源がオフのときには、第２のログ採取装置からの電源を各部に供給する第２の電源供給部と、を有する構成である。
【０００９】
この構成により、第２のログ採取装置の接続によりログメモリ、接続系統切換部、切換指示部、切換入力部に電源が供給されるので、第１のログ採取装置とログメモリとの接続時の電源供給が停止した場合でも電源供給が可能となる。また第１のログ採取装置によるログメモリのアクセスに故障が発生したときでも、切換指示部の指示により、第１のログ採取装置から第２のログ採取装置にログメモリの接続先が切換わるため、第２のログ採取装置によりログメモリをアクセスすることができるので、ログメモリのデータを取得できない状態を防止できる。
【００１０】
ここで、接続系統切換部とは、例えばＵＳＢスイッチングハブである。また、接続部とは、例えばＵＳＢコネクタである。  
【００１１】
また、切換入力部は、コントローラの故障を監視し、故障を検出したときには、切換指示部に第１の接続系統から第２の接続系統への切換指示を入力する監視部である構成である。
【００１２】
この構成により、コントローラの故障が発生したときに、ログメモリとコントローラとの接続系統からログメモリと第２のログ採取装置との接続系統に自動切換えができるので、ログメモリのデータを取得できないことが防止できる。
【００１３】
また、情報処理装置は、ログを記憶するログメモリをアクセスする第１のログ採取装置および第２のログ採取装置に接続される情報処理装置であって、第１のログ採取装置と接続され、かつログメモリをアクセスするコントローラと、ログメモリをアクセスする第２のログ採取装置に接続される接続部と、ログメモリとコントローラとを接続するための第１の接続系統と、ログメモリと接続制御部とを接続するための第２の接続系統とを切換える接続系統切換部と、接続部に接続された第２のログ採取装置からの切換指示を切換指示部に入力し、かつ接続系統切換部の第２の接続系統に接続する接続制御部と、切換指示により第１の接続系統と第２の接続系統間の切換を接続系統切換部に指示する切換指示部と、各部に電源を供給する第１の電源供給部と、第１の電源供給部の電源がオフのときには、第２のログ採取装置からの電源を各部に供給する第２の電源供給部と、を有する構成である。
【００１４】
この構成により、第２のログ採取装置の接続により電源が供給されるので、第１のログ採取装置とログメモリとの接続時の電源供給が停止した場合でも電源供給が可能となる。また第１のログ採取装置によるログメモリのアクセスに故障が発生したときでも、第２のログ採取装置からの切換指示部への指示により、第１のログ採取装置から第２のログ採取装置にログメモリの接続先が切換わるため、第２のログ採取装置によりログメモリをアクセスすることができるので、ログメモリのデータを取得できない状態を防止できる。  
【００１５】
ここで、接続系統切換部とは、例えば２つのアップストリームポート、1つのダウンストリームポートを有するＵＳＢスイッチングハブである。また、接続部とは、例えばＵＳＢコネクタである。また、接続制御部とは、例えば１つのアップストリームポート、２つのダウンストリームポートを有するＵＳＢスイッチングハブである。  
【発明の効果】
【００１６】
本発明による方式を用いることによって、装置本体を制御するプログラムの動作異常等によって自力でログを取得できない状態や、故障によって装置が電源ＯＮにならない状態の場合でも可搬媒体を使用せずに、ログを取得することが可能になる。また、可搬媒体を使用しないため、可搬媒体の紛失に伴う情報の漏洩を防ぐことが出来る。
【発明を実施するための最良の形態】
【００１７】
（実施例１）
図２にログメモリアクセス回路の構成図を示す。
ログメモリアクセス回路４は、第１のアクセス装置３１と第２のアクセス装置３２に接続される。
第１のアクセス装置３１は、例えばログメモリアクセス回路４を搭載するための情報処理装置であり、ログメモリアクセス回路４をアクセスするためのＵＳＢコントローラを有する。そして、ログメモリアクセス回路４に搭載されているログメモリ１１に対してログをリードライトする。ログは、例えば第１のアクセス装置３１の各種エラー等の保守に必要なログである。
第２のアクセス装置３２は、ＵＳＢインタフェースの保守用パーソナルコンピュータであり、ログメモリアクセス回路４に搭載されているログメモリ１１からログをリードする。
ログメモリアクセス回路４は、ログメモリ１１とＵＳＢスイッチングハブＡ１２（図２上は、ＨＵＢＡと記載）、切換指示部Ａ１３、第１電源供給部１４、第２電源供給部１５、切換入力部２０とを有する。例えばログメモリアクセス回路４は、第１のアクセス装置３１に搭載され固定されるオプション基板上の回路である。
ログメモリ１１は、例えばフラッシュＲＯＭである。ＵＳＢコントローラを内蔵する。また、ログメモリ１１は、可搬媒体では無く基板から取り外すことの出来ない形態で装着されている。例えば、基板上にログメモリ１１が半田付けで搭載されている。セキュリティのためである。
ＵＳＢスイッチングハブＡ１２は、専用のＬＳＩである。ダウンストリームポートを１つと、アップストリームポートを２つと、ポートセレクタ、ハブコントローラとを有する。そして、ＵＳＢスイッチングハブＡ１２のダウンストリームポートのポート１（以降ＤＰＯＲＴ３３−１）は、ログメモリ１１と接続される。また、ＵＳＢスイッチングハブのアップストリームポートの１つ目のポート１（以降ＵＰＰＯＲＴ３４−１）は、第１のアクセス装置３１に搭載されている。また、ＵＳＢスイッチングハブＡ１２のアップストリームポートの２つ目のポート２（以降ＵＰＰＯＲＴ３４−２）は、第２のアクセス装置３２に接続されている。
ポートセレクタは、ＤＰＯＲＴ３３−１とＵＰＰＯＲＴ３４−１との接続系統１とＤＰＯＲＴ３３−１とＵＰＰＯＲＴ３４−２との接続系統２とを切換指示部Ａ１３の指示により切換える。
ハブコントローラ３７は、ログメモリ１１と第１のアクセス装置３１間、ログメモリ１１と第２のアクセス装置３２間のＵＳＢ通信の制御を行う。
切換指示部Ａ１３は、ＵＳＢスイッチングハブＡ１２の接続系統１と接続系統２との切換を行う。接続系統１は、ログメモリ１１に対して第１のアクセス装置３１がログを書き込む場合、またはログを読み出す場合のための経路である。接続系統２は、第２のアクセス装置３２からログメモリ１１をアクセスするための経路である。例えば、ＵＳＢスイッチングハブＡ１２であるＬＳＩの外部ピンＰ１、Ｐ２の２ピンが各「０」「１」のときは、接続系統１のログメモリ１１と第１のアクセス装置３１との接続、「１」「０」のときは、接続系統２のログメモリ１１と第２のアクセス装置３２に接続とする。このため、切換指示部Ａ１３は、切換入力部２０からの切換指示に従って対応する切換信号を出力する。例えば切換指示入力が「０」ならば、接続系統１の信号「０」「１」を切換ピンＰ１、Ｐ２に出力する。切換指示入力が「１」ならば、接続系統２の信号「１」「０」を切換ピンＰ１、Ｐ２に出力する。
切換入力部２０は、切換指示部Ａ１３に切換指示をする。例えば、外部端子の設定によるものである。このための外部端子は、例えばスイッチであり、スイッチオンのときは、「０」出力とする。スイッチオフのときは、「１」とする。
【００１８】
図３に電源回路の説明図を示す。
第１電源供給部１４は、第１のアクセス装置３１からの電源電圧５Ｖをログメモリ１１、ＵＳＢスイッチングハブＡ１２、切換指示部１３、切換入力部２０に供給する回路である。逆流防止のダイオード４１を経由して各部へ５Ｖを出力する。
第２電源供給部１５は、第２のアクセス装置３２から供給されるＶＢＵＳのバスパワーを使用する。すなわち、第２電源供給部１５は、ＵＳＢインタフェースのＶＢＵＳの５Ｖを受けると、スイッチ回路４２、逆流防止のダイオード４１を経由してログメモリ１１、ＵＳＢスイッチングハブＡ１２、切換指示部１３、切換入力部２０に対して５Ｖを出力する。
スイッチ回路４２のオンオフ条件は、第１電源供給部１４からの入力電源がオンのときには、スイッチオフとなり各部への電源出力はされない。また第１電源供給部１４からの入力電源がオフのときには、スイッチオンとなり、各部への電源出力はされる。
この結果、第１電源供給部１４が電源系統の故障等の場合には、ログメモリアクセス回路４が動作できないため、ＵＰＰＯＲＴ３４−２に接続された第２のアクセス装置３２のＶＢＵＳのバスパワーによって電力の供給をすることができるようになる。
第１電源供給部１４と第２電源供給部１５は、ワイアドオアでログメモリ１１、ＵＳＢスイッチングハブＡ１２、切換指示部Ａ１３、切換入力部２０に電源を供給している。
この結果、第１のアクセス装置３１からログメモリ１１をアクセスすることができない状態が発生しても、第２のアクセス装置３２を接続し、切換指示部Ａ１３の設定を接続系統２に変更することで、ログメモリ１１の内容にアクセスすることができるようになる。
【００１９】
図４にログ採取システムの構成図１を示す。
情報処理装置Ａ５のログ採取システム１は、情報処理装置Ａ５と、ログ採取装置Ａ８、ログ採取装置Ｂ９よりなる。
情報処理装置Ａ５は、サーバ等であり、ログメモリアクセス回路４と、コントローラ１６とＬＡＮコネクタ１７とＵＳＢコネクタ１８、電源１９を有する。
ログ採取装置Ａ８、ログ採取装置Ｂ９は、例えば保守用のパーソナルコンピュータである。
ログメモリアクセス回路４は、既述のとおりである。
コントローラ１６は、情報処理装置Ａ５を制御するＭＰＵ等を有し、図示していないデータを入力する入力部、データを出力する出力部、データを格納するメモリ等も制御している。また、ＵＳＢスイッチングハブＡ１２をＵＳＢプロトコールによって制御するＵＳＢコントローラ、ＬＡＮを制御するＬＡＮコントローラを含む。
ＬＡＮコネクタ１７は、ネットワークを介してログを採取するログ採取装置Ａ８および情報処理装置Ａ５からの印刷データを出力するプリンタ等と、ＬＡＮ接続するためのものである。
ＵＳＢコネクタ１８は、ログ採取装置Ｂ９と接続するものである。ログ採取装置Ｂ９は、ＵＳＢコネクタ１８から電源ラインのＶＢＵＳも情報処理装置Ａ５に供給する。
電源１９は、情報処理装置Ａ５の各部に電源５Ｖ等を供給する。
【００２０】
図５にログ採取システムの処理の流れ図１を示す。
情報処理装置Ａ５は、通常、コントローラ１６からＬＡＮによるネットワークを経由して、プリンタ、ログ採取装置Ａ８等に接続されている。当初、ログ採取装置Ｂ９は、情報処理装置Ａ５に接続されていない。
そして、コントローラ１６から、ＵＳＢスイッチングハブＡ１２を経由してログメモリ１１にログが書き込まれる（Ｓ１ステップ）。
次に、保守者は、ログ採取装置Ａ８によりネットワークからログを取得できるか否かを判断する（Ｓ２ステップ）。
ネットワークから取得できる場合には、ログ採取装置Ａ８によりネットワークからログを採取するのか否かを判断する（Ｓ３ステップ）。
ネットワーク経由でログを採取する場合には、ログ採取装置Ａ８によりネットワークからログを採取する。（Ｓ４ステップ）。
ネットワーク経由の場合のログの流れを次に示す。
【００２１】
図６に第１のログの流れ図を示す。
保守者は、情報処理装置Ａ５からログを採取するときには、ログ採取装置Ａ８から情報処理装置Ａ５にログの採取要求を送る。
情報処理装置Ａ５は、ログの採取要求を受信すると、コントローラ１６により、ログメモリ１１からＵＳＢスイッチングハブＡ１２のＤＰＯＲＴ３３−１、ＵＰＰＯＲＴ３４−１を経由してログを取得する。
次に、コントローラ１６は、ＬＡＮコネクタ１７からネットワークを経由してログ採取装置Ａ８にログを送信する。この結果、ログ採取装置Ａ８は、ログを取得することができる。
【００２２】
図５の説明に戻る。
一方、現地での保守作業を行ったあとなどその場でログを取得したい場合、または情報処理装置Ａ５とログ採取装置Ａ８との通信が正常でない場合には、保守者は、情報処理装置Ａ５の設置場所にてログを取得する。
これらの場合には、ログ採取装置Ｂ９をＵＳＢコネクタ１８に接続する（Ｓ５ステップ）。
次に、切換入力部２０のスイッチをオンにしてＵＰＰＯＲＴ３４−１からＵＰＰＯＲＴ３４−２に変更する設定をする。この結果、ＵＳＢスイッチングハブＡ１２のアップストリームのポートは、コントローラ１６との接続であるＵＰＰＯＲＴ３４−１からログ採取装置Ｂ９との接続であるＵＰＰＯＲＴ３４−２に接続系統が切り替わる（Ｓ６ステップ）。この結果、ログを格納するログメモリ１１は、コントローラ１６との接続から切り離され、ログ採取装置Ｂ９との接続となる。これによって、ログ採取装置Ｂ９は、ＵＳＢプロトコールにより、ＵＳＢスイッチングハブＡ１２を介してログメモリ１１からのログを採取することが可能である（Ｓ７ステップ）。
【００２３】
ＵＳＢコネクタ経由の場合のログの流れを次に示す。
図７に、第２のログの流れ図を示す。
保守者は、ログ採取装置Ｂ９から情報処理装置Ａ５にログの採取要求を送る。
情報処理装置Ａ５のＵＳＢスイッチングハブＡ１２は、採取要求を受信すると、ログメモリ１１に送信する。そして、ログメモリ１１からのログをＤＰＯＲＴ３３−１、ＵＰＰＯＲＴ３４−２を経由してログ採取装置Ｂ９にログを送信する。
この方式においては、ログ採取装置Ｂ９と接続することにより、ＵＳＢコネクタ１８を介して、ログ採取装置Ｂ９からログメモリ１１、ＵＳＢスイッチングハブＡ１２、切換指示部Ａ１３、切換入力部２０への電力供給がされるために、故障によって電力が情報処理装置Ａ５に供給されない場合でも、ログの採取が可能である。
【００２４】
(実施例２)
図８にログ採取システムの構成図２を示す。
情報処理装置Ｂ６のログ採取システム２は、情報処理装置Ｂ６と、ログ採取装置Ａ８、ログ採取装置Ｂ９よりなる。
実施例１とは、切換指示部Ｂ２２への指示を切換部２０による設定によらず、監視部２１により行う点が異なる。
監視部２１は、コントローラ１６の動作を監視している。そして、コントローラ１６が故障した場合、例えば、ＬＡＮ回路の故障等により、ネットワークの通信ができなくなった場合には、監視部２１は、故障を検出する。
故障の検出方法の第１の方法としては、通信の故障をコントローラ１６が検出したとき、その旨を監視部２１に通知することで検出する。
また、故障の検出方法の第２の方法としては、コントローラ１６のＭＰＵの暴走を検知するため、ウォッチドッグタイマを監視部２１に設けることで、ウォッチドッグタイマのタイムアップを検出する。
ウォッチドッグタイマは、ＭＰＵが一定間隔でウォッチドッグタイマをリセットするが、暴走すると、リセットができないため、タイムアップするタイマをいう。
監視部２１が故障を検出したときには、切換指示部Ｂ２２にアップストリームポートをＵＰＰＯＲＴ３４−１からＵＰＰＯＲＴ３４−２に切換える指示を行う。切換指示部Ｂ２２は、指示を受けると、ＵＰＰＯＲＴ３４−１からＵＰＰＯＲＴ３４−２への切換データ「１」「０」をＵＳＢスイッチングハブＡ１２のＰ１、Ｐ２に出力することで、ポート切換が行われる。
第１電源供給部１４、第２電源供給部１５の供給先について、実施例１と異なるところは、切換入力部２０への供給がなくなり、監視部２１に電源を供給する点である。
【００２５】
図９に、ログ採取システムの処理の流れ図２を示す。
情報処理装置Ｂ６は、通常、コントローラ１６からＬＡＮによるネットワークを経由して、プリンタ等と通信を行っている。ログ採取装置Ｂ９は、予め情報処理装置Ｂ６に接続されている。
そして、ログは、コントローラ１６から、ＵＳＢスイッチングハブＡ１２を経由してログメモリ１１に書き込まれる（Ｓ１１ステップ）。
次に、監視部２１は、コントローラ１６の通信が正常か否かをチェックする。（Ｓ１２ステップ）。
この結果、ログ採取装置Ａ８との通信は、正常であり、ログ採取装置Ａ８からのログ採取が可能の場合には、ネットワーク経由でログ採取装置Ａ８によりログを採取する（Ｓ１３ステップ）。
一方、通信が異常と検知した場合には、監視部３１は、切換指示部Ｂ２２に切換指示を出力する（Ｓ１４ステップ）。
切換指示部Ｂ２２は、切換指示を受信すると、ＵＳＢスイッチングハブＡ１２のアップストリームのポートをＵＰＰＯＲＴ３４−１からＵＰＰＯＲＴ３４−２に切換える（Ｓ１５ステップ）。
この結果、ＵＳＢスイッチングハブＡ１２のアップストリームのポートは、コントローラ１６との接続からログ採取装置Ｂ９との接続に切り替わる。
この結果、ログを格納するログメモリ１１は、コントローラ１６との接続から切り離され、ログ採取装置Ｂ９と接続される。これによって、ログ採取装置Ｂ９からＵＳＢスイッチングハブＢ２１を介してログメモリ１１からログを採取することが可能である（Ｓ１６ステップ）。
(実施例３)
図１０にログ採取システムの構成図３を示す。
情報処理装置Ｃ７のログ採取システム３は、情報処理装置Ｃ７と、ログ採取装置Ａ８、ログ採取装置Ｂ９よりなる。
実施例１とは、切換指示部Ｃ２４への指示をログ採取装置Ｂ９から行う点が異なる。このため、ログ採取装置Ａ８からログ採取装置Ｂ９に情報処理装置Ｃ７からのログの採取ができない旨の通知を行う。ログ採取装置Ａ８とログ採取装置Ｂ９は、ネットワークで接続しておく。
ログ採取装置Ｂ９は、この通知を受けると、ログメモリアクセス回路４の切換指示部Ｃ２４に切換指示を行う。
このため、ログメモリアクセス回路４にＵＳＢスイッチングハブＢ２３（図１０上は、ＨＵＢＢと記載）を設けている。
また、ＵＳＢスイッチングハブＡ１２のアップストリームポートの接続先の1つが実施例１とは異なる。すなわち、ＵＳＢスイッチングハブのＵＰＰＯＲＴ３４−１は、コントローラ１６と接続され、ネットワークを経由してログ採取装置Ａ８に接続される。一方、ＵＳＢスイッチングハブＡ１２のアップストリームのインタフェースの２つ目のＵＰＰＯＲＴ３４−２は、ＵＳＢスイッチングハブＢ２３を経由してログ採取装置Ｂ９と接続される。
ＵＳＢスイッチングハブＢ２３は、専用のＬＳＩである。ダウンストリームのインタフェースを２つ（以降ＤＰＯＲＴ３５−１、ＤＰＯＲＴ３５−２）とアップストリームのインタフェースを１つ（以降ＵＰＰＯＲＴ３６−１）とを有する。そして、ＵＳＢスイッチングハブＢ２３のＤＰＯＲＴ３５−１は、ＵＳＢスイッチングハブＡ１２のＵＰＰＯＲＴ３４−２と接続される。また、ＵＳＢスイッチングハブＢ２３のＤＰＯＲＴ３５−２は、切換指示部Ｃ２４と接続される。
また、ＵＳＢスイッチングハブＢ２３のＵＰＰＯＲＴ３６−１は、ＵＳＢコネクタ１８経由してログ採取装置Ｂ９と接続される。
切換指示部Ｃ２４は、ＵＳＢスイッチングハブＡ１２のＵＰＰＯＲＴ３４−１、ＵＰＰＯＲＴ３４−２の２つのポートの切換をする。１つ目のＵＰＰＯＲＴ３４−１は、ログメモリ１１に対してコントローラ１６がログを書き込む場合、またはログを読み出す場合のために、コントローラ１６に接続される経路である。他のＵＰＰＯＲＴ３４−２は、ログ採取装置Ｂ９からログメモリ１１へ接続する経路である。また、切換指示部Ｃ２４は、ＵＳＢスイッチングハブＢ２３と通信するため、ＵＳＢコントローラを内蔵する。
第１電源供給部１４、第２電源供給部１５の供給先について、実施例１と異なるところは、切換入力部２０への供給がなくなり、ＵＳＢスイッチングハブＢ２３に電源を供給する点である。
【００２６】
図１１に、ログ採取システムの処理の流れ図３を示す。
情報処理装置Ｃ７は、通常、コントローラ１６からＬＡＮによるネットワークを経由して、プリンタ等と通信を行っている。また、ログ採取装置Ｂ９は、予め情報処理装置Ｃ７に接続されている。
そして、ログは、コントローラ１６から、ＵＳＢスイッチングハブＡ１２を経由してログメモリ１１に書き込まれる（Ｓ２１ステップ）。
次に、ログ採取装置Ａ８によりネットワークからログの採取が可能か否かを判断する（Ｓ２２ステップ）。
この結果、ログ採取装置Ａ８との通信は、正常であり、ログ採取装置Ａ８からのログ採取が可能の場合には、ネットワーク経由でログ採取装置Ａ８によりログを採取する（Ｓ２３ステップ）。
一方、故障等によりＬＡＮ経由でログメモリ１１からログを取得できない場合には、ログ採取装置Ａ８は、ログ採取装置Ｂ９にＵＳＢスイッチングハブＡ１２の切換指示を送出する（Ｓ２４ステップ）。
ログ採取装置Ｂ９は、ログ採取装置Ａからの切換指示を受取ると、ＵＳＢスイッチングハブＢ２３を経由して切換指示部Ｃ２４に切換指示を送信する（Ｓ２５ステップ）。
切換指示部Ｃ２４は、切換指示を受信すると、ＵＳＢスイッチングハブＡ１２のアップストリームのポートをＵＰＰＯＲＴ３４−１からＵＰＰＯＲＴ３４−２に切換える（Ｓ２６ステップ）。
この結果、ＵＳＢスイッチングハブＡ１２のアップストリームのポートは、コントローラ１６との接続からＵＳＢスイッチングハブＢ２３との接続に接続系統が切り替わる。これにより、ログを格納するログメモリ１１は、コントローラ１６の接続から切り離され、ログ採取装置Ｂ９との接続系統に切替わる。これによって、ログ採取装置Ｂ９からＵＳＢスイッチングハブＢ２３を介してログを採取することが可能である（Ｓ２７ステップ）。
また、ログメモリアクセス回路４に専用コントローラを搭載し、ログ採取装置Ｂ９との接続をネットワーク接続とすることもできる。このときには、保守センタで、ログ採取装置Ａ８とログ採取装置Ｂ９を設置できるので、装置切換により保守が容易となる。
【００２７】
以上の実施例を含む実施形態に関し、更に以下の付記を開示する。
（付記１）ログを記憶するログメモリと、ログメモリをアクセスする第１のアクセス装置とログメモリとを接続する第１の接続系統と、ログメモリをアクセスする第２のアクセス装置とログメモリとを接続する第２の接続系統とを切換える接続系統切換部と、切換指示を入力する切換入力部と、入力された切換指示により、第１の接続系統と第２の接続系統間の切換を接続系統切換部に指示する切換指示部と、第１のアクセス装置からの電源を各部に供給する第１の電源供給部と、第１の電源供給部の電源がオフのときには、第２のアクセス装置からの電源を各部に供給する第２の電源供給部と、を有することを特徴とするログメモリアクセス回路。
（付記２）接続系統切換部は、ログメモリと接続されるダウンストリームポート、第１のアクセス装置および第２のアクセス装置と接続される２つのアップストリームポート、アップストリームポートとダウンストリームポート間の接続系統を切換えるポートセレクタとを有するＵＳＢスイッチングハブであることを特徴とする付記１記載のログメモリアクセス回路。
（付記３）ログを記憶するログメモリをアクセスする第１のログ採取装置および第２のログ採取装置に接続される情報処理装置であって、第１のログ採取装置と接続され、かつログメモリをアクセスするコントローラと、ログメモリをアクセスする第２のログ採取装置に接続される接続部と、ログメモリとコントローラとを接続するための第１の接続系統と、ログメモリと接続部とを接続するための第２の接続系統とを切換える接続系統切換部と、切換指示を入力する切換入力部と、入力された切換指示により、第１の接続系統と第２の接続系統間の切換を接続系統切換部に指示する切換指示部と、各部に電源を供給する第１の電源供給部と、第１の電源供給部の電源がオフのときには、第２のログ採取装置からの電源を各部に供給する第２の電源供給部と、を有することを特徴とする情報処理装置。
（付記４）切換入力部は、コントローラの故障を監視し、故障を検出したときには、切換指示部に第１の接続系統から第２の接続系統への切換指示を入力することを特徴とする付記３記載の情報処理装置。
（付記５）ログを記憶するログメモリをアクセスする第１のログ採取装置および第２のログ採取装置に接続される情報処理装置であって、第１のログ採取装置と接続され、かつログメモリをアクセスするコントローラと、ログメモリをアクセスする第２のログ採取装置に接続される接続部と、ログメモリとコントローラとを接続するための第１の接続系統と、ログメモリと接続制御部とを接続するための第２の接続系統とを切換える接続系統切換部と、接続部に接続された第２のログ採取装置からの切換指示を切換指示部に入力し、かつ接続系統切換部の第２の接続系統に接続する接続制御部と、
切換指示により第１の接続系統と第２の接続系統間の切換を接続系統切換部に指示する切換指示部と、各部に電源を供給する第１の電源供給部と、第１の電源供給部の電源がオフのときには、第２のログ採取装置からの電源を各部に供給する第２の電源供給部と、を有することを特徴とする情報処理装置。
（付記６）情報処理装置に接続され、情報処理装置のコントローラによりログメモリからネットワークを介してログを採取するための第１のログ採取装置と、情報処理装置のＵＳＢコネクタと接続され、情報処理装置のログメモリからログを採取するための第２のログ採取装置と、を有する情報処理装置のログ採取システムであって、情報処理装置が、第１のログ採取装置と接続され、かつログメモリをアクセスするコントローラと、ログメモリをアクセスする第２のログ採取装置に接続される接続部と、ログメモリとコントローラとを接続するための第１の接続系統と、ログメモリと接続部とを接続するための第２の接続系統とを切換える接続系統切換部と、切換指示を入力する切換入力部と、入力された切換指示により、第１の接続系統と第２の接続系統間の切換を接続系統切換部に指示する切換指示部と、各部に電源を供給する第１の電源供給部と、第１の電源供給部の電源がオフのときには、ログ採取装置からの電源を各部に供給する第２の電源供給部と、を有し、切換指示部への切換指示により、ログメモリのログの採取装置が第１のログ採取装置から第２のログ採取装置に切換えることを特徴とする情報処理装置のログ採取システム。
（付記７）接続系統切換部は、ログメモリと接続されるダウンストリームポート、第１のログ採取装置および第２のログ採取装置と接続される２つのアップストリームポート、アップストリームポートとダウンストリームポート間の接続系統を切換えるポートセレクタとを有するＵＳＢスイッチングハブであることを特徴とする付記３または付記５記載の情報処理装置。  
（付記８）接続制御部は、接続系統切換部と接続されるダウンストリームポート、切換指示部と接続されるダウンストリームポート、接続部と接続されるアップストリームポートとを有するＵＳＢスイッチングハブであることを特徴とする付記５記載の情報処理装置。
（付記９）接続系統切換部は、ログメモリと接続されるダウンストリームポート、第１のログ採取装置および第２のログ採取装置と接続される２つのアップストリームポート、アップストリームポートとダウンストリームポート間の接続系統を切換えるポートセレクタとを有するＵＳＢスイッチングハブであることを特徴とする付記６記載の情報処理装置のログ採取システム。  
（付記１０）切換入力部は、コントローラの故障を監視し、故障を検出したときには、切換指示部に切換指示を入力することを特徴とする付記６記載の情報処理装置のログ採取システム。
【図面の簡単な説明】
【００２８】
【図１】従来のログ採取システムの構成図
【図２】ログメモリアクセス回路の構成図
【図３】電源回路の説明図
【図４】ログ採取システム構成図１
【図５】ログ採取システムの処理の流れ図１
【図６】第１のログの流れ図
【図７】第２のログの流れ図
【図８】ログ採取システム構成図２
【図９】ログ採取システムの処理の流れ図２
【図１０】ログ採取システム構成図３
【図１１】ログ採取システムの処理の流れ図３
【符号の説明】
【００２９】
１〜３  ログ採取システム
４  ログメモリアクセス回路
５  情報処理装置Ａ
６  情報処理装置Ｂ
７  情報処理装置Ｃ
８  ログ採取装置Ａ
９  ログ採取装置Ｂ
１１  ログメモリ
１２  ＵＳＢスイッチングハブＡ
１３  切換指示部Ａ
１４  第１電源供給部
１５  第２電源供給部  
１６  コントローラ
１７  ＬＡＮコネクタ
１８  ＵＳＢコネクタ
１９  電源
２０  切換入力部
２１  監視部  
２２  切換指示部Ｂ
２３  ＵＳＢスイッチングハブＢ
２４  切換指示部Ｃ
３１  第１のアクセス回路
３２  第２のアクセス回路
３３−１、３５−１  ＤＰＯＲＴ１
３４−１、３６−１  ＵＰＰＯＲＴ１
３４−２  ＵＰＰＯＲＴ２
３５−２  ＤＰＯＲＴ２   
３７  ポートセレクタ
４１  ダイオード
４２  スイッチ回路
【図１】
2008176564.tif 000003
【図２】
2008176564.tif 000004
【図３】
2008176564.tif 000005
【図４】
2008176564.tif 000006
【図５】
2008176564.tif 000007
【図６】
2008176564.tif 000008
【図７】
2008176564.tif 000009
【図８】
2008176564.tif 000010
【図９】
2008176564.tif 000011
【図１０】
2008176564.tif 000012
【図１１】
2008176564.tif 000013